(57)【特許請求の範囲】
【請求項１】
方形状の構造用木製パネルと、一対の前記構造用木製パネル同士の接合に用いられる板状の接合金具とを備え、且つ建物に掛かる荷重を負担する木製パネル耐震壁であって、
前記構造用木製パネルは、第１の構造用木製パネル、第２の構造用木製パネル、及び第３の構造用木製パネルを含み、
前記接合金具は、第１の接合金具、及び第２の接合金具を含み、
前記第１の木製パネルは、上辺と下辺に左右２つの隅角部を有し、
前記第２の構造用木製パネルは、前記第１の構造用木製パネルの左隅角部の一辺に対して、右上、又は右下の隅角部の一辺を接触させた状態で配置され、
前記第３の構造用木製パネルは、前記第１の構造用木製パネルの右隅角部の一辺に対して、左上、又は左下の隅角部の一辺を接触させた状態で前記第２の構造用木製パネルの横方向位置に配置されて当該第２の構造用木製パネルとの間に空間を形成し、
前記第１の接合金具は、前記第１の構造用木製パネルの前記左隅角部の一辺と、該左隅角部に配置される前記第２の構造用木製パネルの前記右隅角部の一辺とに跨がってピン止め固定され、
前記第２の接合金具は、前記第１の構造用木製パネルの前記右隅角部の一辺と、該右隅角部に配置される前記第３の構造用木製パネルの前記左隅角部の一辺とに跨がってピン止め固定され、
前記第１の構造用木製パネル、前記第２の構造用木製パネル、及び前記第３の構造用木製パネルは、
その側端面に形成されて前記第１の接合金具の一部分、又は前記第２の接合金具の一部分が挿入される溝部と、
当該各構造用木製パネルを厚さ方向に貫通し、金属製のピンが挿入されるピン挿入孔と、
を備え、
前記第１の接合金具、及び前記第２の接合金具は、
前記第１の構造用木製パネルが備えた前記溝部に挿入される第１板状部と、
前記第２の構造用木製パネル又は前記第３の構造用木製パネルが備えた前記溝部に挿入される第２板状部と、
前記第１板状部と前記第２板状部との間に位置し、前記第１板状部と前記第２板状部とを横方向に位置をずらして連結する連結部と、
を備えたことを特徴とする木製パネル耐震壁。
【請求項２】
前記構造用木製パネルは、ＣＬＴ（Cross Laminated Timber、直交集成板）によって構成されていることを特徴とする請求項１に記載の木製パネル耐震壁。
【発明の詳細な説明】
【技術分野】
【０００１】
本発明は、上下階の床または横架材間に、ＣＬＴ（Cross Laminated Timber、直交集成板）等の木製パネルを多段にわたり、任意に配置した木製パネル耐震壁に関するものである。
【背景技術】
【０００２】
複数枚のパネルを市松状に接合して壁を構築することにより、壁に開口部を設けて採光性を向上させ、且つ市松状に並べた各パネルによって壁の美観を向上させる技術が知られている。
例えば特許文献１には、左柱、右柱、上梁、及び下梁によって囲まれた四角形状のスペース内に複数本の金属製縦リブ、及び金属製横リブを設置することにより、四角形状のスペースを格子状の小スペースに分割した後、市松状となるように一部の小スペースを四角形状の鋼板（パネル）で塞いだ鋼板耐震壁が記載されている。
特許文献２には、左柱、右柱、上梁、及び下梁によって囲まれた四角形状のスペース内に左右方向に離隔した一対の金属製縦フレームを設置し、縦フレーム同士の間に複数本の金属製水平部材を上下方向に間隔を空けて取り付け、四角形状の鋼板（パネル）を縦フレーム、及び水平部材に対して市松状に取り付けた鋼板耐震壁が記載されている。
【０００３】
また、壁に木の質感を外観等に取り入れるため、ＣＬＴ等の木製パネルを使用した壁が提案されている。
例えば特許文献３には、上梁の下面に下向きに接合された四角形状のＣＬＴからなる上部壁体と、土台の上面に上向きに接合され、上面を上部壁体の下面に隣接させた四角形状のＣＬＴからなる下部壁体と、上部壁体と下部壁体とを接合する壁接合部と、を備えた木質耐震壁が記載されている。壁接合部は、上部壁体の溝部と下部壁体の溝部に挿入配置されるガセットプレート（穴あき鋼板）と、ガセットプレートと上部壁体、及び下部壁体とをそれぞれ連結するドリフトピンとによって構成されている。
【先行技術文献】
【特許文献】
【０００４】
【特許文献１】特開２００８−８８６３２公報
【特許文献２】特開２０１４−１１８７７５公報
【特許文献３】特開２０１８−８０５６９公報
【発明の概要】
【発明が解決しようとする課題】
【０００５】
木の質感を外観等に取り入れるため、特許文献３では、ＣＬＴからなる壁体を用いて脆性的な破壊を防ぐことのできる木質系耐震壁が提案されているが、壁前面が変化に乏しく、暗いイメージとなり、美観性を損ね易い問題がある。さらには、壁により光を遮ることになることから採光性の確保が出来ない問題もある。一方で、特許文献１や特許文献２に記載された技術では、木質感は損なわれるが、鋼板を市松状に取り付けることによって壁の美観性や採光性を向上させつつ、耐震性を確保している。
これらの課題を解決するため、本発明では、複数枚の木製パネルを市松状など任意に配置し、接合金物と組み合わせることで美観性や採光性を有しつつ、耐震性を備えた木製パネル間の接合構造、及び木製パネル耐震壁を提供することを目的とする。
【課題を解決するための手段】
【０００６】
本発明の主な特徴は、上下階の床または横架材間に、ＣＬＴ等の木製パネルを多段にわたり配置する耐震壁であり、その配置構成は、水平方向に隣接する木製パネル間に間隙を設けるとともに、鉛直方向の木製パネルは互い違いにその隅角部を木製パネルと重ねて接合金物と組み合わせることによって構成されるところにある。
具体的には、本発明は、方形状の構造用木製パネルと、一対の前記構造用木製パネル同士の接合に用いられる板状の接合金具とを備え、且つ建物に掛かる荷重を負担する木製パネル耐震壁であって、前記構造用木製パネルは、第１の構造用木製パネル、第２の構造用木製パネル、及び第３の構造用木製パネルを含み、前記接合金具は、第１の接合金具、及び第２の接合金具を含み、前記第１の木製パネルは、上辺と下辺に左右２つの隅角部を有し、前記第２の構造用木製パネルは、前記第１の構造用木製パネルの左隅角部の一辺に対して、右上、又は右下の隅角部の一辺を接触させた状態で配置され、前記第３の構造用木製パネルは、前記第１の構造用木製パネルの右隅角部の一辺に対して、左上、又は左下の隅角部の一辺を接触させた状態で前記第２の構造用木製パネルの横方向位置に配置されて当該第２の構造用木製パネルとの間に空間を形成し、前記第１の接合金具は、前記第１の構造用木製パネルの前記左隅角部の一辺と、該左隅角部に配置される前記第２の構造用木製パネルの前記右隅角部の一辺とに跨がってピン止め固定され、前記第２の接合金具は、前記第１の構造用木製パネルの前記右隅角部の一辺と、該右隅角部に配置される前記第３の構造用木製パネルの前記左隅角部の一辺とに跨がってピン止め固定され、前記第１の構造用木製パネル、前記第２の構造用木製パネル、及び前記第３の構造用木製パネルは、その側端面に形成されて前記第１の接合金具の一部分、又は前記第２の接合金具の一部分が挿入される溝部と、当該各構造用木製パネルを厚さ方向に貫通し、金属製のピンが挿入されるピン挿入孔と、を備え、前記第１の接合金具、及び前記第２の接合金具は、前記第１の構造用木製パネルが備えた前記溝部に挿入される第１板状部と、前記第２の構造用木製パネル又は前記第３の構造用木製パネルが備えた前記溝部に挿入される第２板状部と、前記第１板状部と前記第２板状部との間に位置し、前記第１板状部と前記第２板状部とを横方向に位置をずらして連結する連結部と、を備えたことを特徴とする。
【発明の効果】
【０００７】
本発明によれば、複数枚の構造用木製パネルを市松状など任意に配置し、接合金物と組み合わせることで美観性や採光性を有しつつ、耐震性を備えた木製パネル耐震壁を構成することができる。また、本発明によれば、第１板状部と第２板状部の左右方向へのずれ量に応じて、及び各金具の厚さや金属製のピンの太さによって、接合箇所の強度を容易に調整できる。
【図面の簡単な説明】
【０００８】
【図１】（ａ）は本発明に係る接合構造を適用した建物の正面図、（ｂ）は本発明に係る接合構造の概念を説明する図である。
【図２】第１実施形態の接合構造を説明する図である。
【図３】木製パネルの一例を説明する図である。
【図４】（ａ）は狭幅接合金具を説明する図、（ｂ）は広幅接合金具を説明する図である。
【図５】ピン（ドリフトピン）を説明する図である。
【図６】第１の試験体を説明する図である。
【図７】（ａ）は第１の試験体に使用する小パネルを説明する図、（ｂ）は第１の試験体に使用する大パネルを説明する図である。
【図８】第１の試験体による荷重試験結果を示す図である。
【図９】第２の試験体を説明する図である。
【図１０】（ａ）は第２の試験体に使用する小パネルを説明する図、（ｂ）は第２の試験体に使用する大パネルを説明する図である。
【図１１】第２の試験体による荷重試験結果を示す図である。
【図１２】第３の試験体を説明する図である。
【図１３】第３の試験体を載荷装置に取り付けた状態を示す図である。
【図１４】第４の試験体を説明する図である。
【図１５】第５の試験体を説明する図である。
【図１６】第６の試験体を説明する図である。
【図１７】第３の試験体乃至第６の試験体による荷重試験結果をまとめた図である。
【図１８】（ａ）は接合金具の第１変形例を説明する図、（ｂ）は第１変形例の接合金具を用いた接合構造を説明する図である。
【図１９】（ａ）は接合金具の第２変形例を説明する図、（ｂ）は第２変形例の接合金具を用いた接合構造を説明する図である。
【図２０】接合金具の第３変形例を説明する図である。
【図２１】第３変形例の接合金具を用いた接合構造を説明する図である。
【図２２】接合金具の第４変形例を説明する図である。
【図２３】（ａ）は木製パネルの変形例を説明する図、（ｂ）は変形例の木製パネルを用いた接合構造を説明する図である。
【発明を実施するための形態】
【０００９】
＜接合構造の概略＞
以下、本発明の実施形態について、図面を参照して説明する。図１（ａ）は本発明に係る接合構造を適用した建物１の正面図、図１（ｂ）は本発明に係る接合構造の概念を説明する図である。
図１（ａ）に示す建物１は、土台（横架材）３と２階の床４との間に構築された壁５に特徴を有している。この壁５は、複数枚の木製パネル６を市松状に接合することにより美観を向上させ、且つ左右方向に隣り合う木製パネル６同士の間に開口部（空間）ＳＰを形成して採光性を向上させている。
【００１０】
図１（ｂ）を参照し、壁５で採用した木製パネル６同士の接合構造について説明する。
この接合構造は、上辺又は下辺に左右２つの隅角部ＵＬ６Ａ又はＤＬ６Ａ、ＵＲ６Ａ又はＤＲ６Ａを有した第１の木製パネル６Ａと、第１の木製パネル６Ａの左下（又は左上）の隅角部ＤＬ６Ａの一辺に対して、右上（又は右下）の隅角部ＵＲ６Ｂの一辺を対向させた状態で配置される第２の木製パネル６Ｂと、第１の木製パネル６Ａの右下（又は右上）の隅角部ＤＲ６Ａの一辺に対して、左上（又は左下）の隅角部ＵＬ６Ｃの一辺を対向させた状態で、第２の木製パネル６Ｂの横方向位置に配置される第３の木製パネル６Ｃと、第２の木製パネル６Ｂと第３の木製パネル６Ｃとの間に形成される開口部ＳＰと、第１の木製パネル６Ａの左下隅角部ＤＬ６Ａの一辺（例えば下面）と該左下隅角部に対向配置される第２の木製パネル６Ｂの右上隅角部ＵＲ６Ｂの一辺（例えば上面）とに跨がり、ピン１３（例えばドリフトピン）によってピン止め固定される第１の金具１０Ｌと、第１の木製パネル６Ａの右下隅角部ＤＲ６Ａの一辺（例えば下面）と該右下隅角部に対向配置される第３の木製パネル６Ｃの左上隅角部ＵＬ６Ｃの一辺（例えば上面）とに跨がり、ピン１３によってピン止め固定される第２の金具１０Ｒと、を備えたことを特徴とする。
【００１１】
以上の構成を有した接続構造では、各木製パネル６Ａ、６Ｂ、６Ｃの各隅角部ＤＬ６ＡとＵＲ６Ｂ、ＤＲ６ＡとＵＬ６Ｃ同士を接合して市松状に構成することにより美観を向上させても、各金具１０Ｌ、１０Ｒによって必要な接合強度が得られる。
また、各金具１０Ｌ、１０Ｒをピン１３によってピン止め固定しているため、接合部分に対して過剰に大きな外力が加わったとしても、各木製パネル６Ａ、６Ｂ、６Ｃの隅角部が破損する前にピン１３が先行して屈曲することにより、隅角部ＤＬ６Ａ、ＵＲ６Ｂ、ＤＲ６Ａ、ＵＬ６Ｃ、及びその他の部位の破損を防止できる。さらに、各金具１０Ｌ、１０Ｒとピン１３の組み合わせによって隅角部毎に接合強度を調整できる。
従って、複数枚の木製パネル６（６Ａ乃至６Ｃ）を市松状に配置して接合用の金具１０、ピン１３（接合金物）で組み合わせることができ、その結果、採光性や美観を有しつつ、耐震性を備えた壁５（複数枚の木製パネル６を接合したユニット）を構成することができる。
【００１２】
＜建物１について＞
図１に示す建物１は、所定の横方向間隔を隔てて配置された複数の基礎２の上に跨がって土台３を形成し、２階部分にはＣＬＴによって構成した床４（以下、ＣＬＴ床４という）を設け、土台３とＣＬＴ床４との間に壁５を設けている。この建物１では、壁５によって建物１に掛かる鉛直荷重、または水平荷重、もしくは両者を負担している。
建物１における一部の壁５は、ＣＬＴによって作製された四辺形の木製パネル６（ＣＬＴブロック）を市松状に３段積層することによって作製されており、複数枚の木製パネル６を市松状に接合することによって美観を向上させ、且つ同じ高さ位置に配置された木製パネル６同士を左右方向に離隔させることによって開口部ＳＰを形成して採光性を向上させている。壁５において、出入口となる開口部ＳＰには開閉扉７を設置し、他の開口部ＳＰの一部には窓ガラス８を設置している。
この壁５は、鉛直荷重、または水平荷重、もしくは両者を負担しているため、木製パネル６同士の接合箇所には十分な強度が必要である。そこで、本実施形態では、一つの木製パネル６の隅角部と、この木製パネル６の斜め上方、或いは斜め下方に隣接配置された他の木製パネル６の隅角部とを、接合金具１０（狭幅接合金具１０Ａ、広幅接合金具１０Ｂ、図４を参照）、およびピン１３によって接合している。以下、接合構造について説明する。
【００１３】
＜接合構造について＞
図２は第１実施形態の接合構造を説明する図であり、図１で説明した壁５の一部分を示している。図２に示す壁５は、木製パネル６を市松状に３段積層し、斜め上下位置関係で隣接して対向配置（接触、又は近接）された一方の木製パネル６の隅角部と他方の木製パネル６の隅角部とを接合金具１０によって接合している。
図２に示す壁５に関し、便宜上、上段左側の木製パネル６のことを上段左パネル６１、上段右側の木製パネル６のことを上段右パネル６２、中段左側の木製パネル６のことを中段左パネル６３、中段中央の木製パネル６のことを中段中パネル６４、中段右側の木製パネル６のことを中段右パネル６５、下段左側の木製パネル６のことを下段左パネル６６、及び下段右側の木製パネル６のことを下段右パネル６７という。
この壁５において、例えば、上段左パネル６１の左下隅角部ＤＬ６１と中段左パネル６３の右上隅角部ＵＲ６３とが接合金具１０によって接合されている。同様に、上段左パネル６１の右下隅角部ＤＲ６１と中段中パネル６４の左上隅角部ＵＬ６４とが接合金具１０によって接合されている。
【００１４】
上段左パネル６１は、正面視で横長長方形状をしており、ＣＬＴ床４の下面左側に対して１個の壁床せん断金具２１と２個の壁床引張引張金具２２によって接合されている。壁床せん断金具２１は、上段左パネル６１の上面における左右中央に取り付けられており、壁床引張引張金具２２は、上段左パネル６１の上面における左側と右側のそれぞれに取り付けられる。
上段右パネル６２は、ＣＬＴ床４の下面右側に接合されており、左横に配置された上段左パネル６１との間には開口部ＳＰが形成されている。上段右パネル６２は、正面視で横長長方形状をしており、本実施形態では上段左パネル６１と同じ寸法である。上段右パネル６２は、ＣＬＴ床４に対して１個の壁床せん断金具２１と２個の壁床引張引張金具２２によって接合されている。壁床せん断金具２１は、上段右パネル６２の上面における左右中央に取り付けられ、壁床引張引張金具２２は、上段右パネル６２の上面における左側と右側のそれぞれに取り付けられる。
【００１５】
中段左パネル６３は、正面視で縦長長方形状をしており、上段左パネル６１の左下方に配置されている。中段左パネル６３の右上隅角部ＵＲ６３の上面は、上段左パネル６１の左下隅角部ＤＬ６１の下面に対向しており、中段左パネル６３の右上隅角部ＵＲ６３と上段左パネル６１の左下隅角部ＤＬ６１とが接合金具１０、及びピン１３によって接合されている。
中段左パネル６３の右下方には下段左パネル６６が配置されており、中段左パネル６３の右下隅角部ＤＲ６３の下面は、下段左パネル６６の左上隅角部ＵＬ６６の上面に対向している。そして、中段左パネル６３の右下隅角部ＤＲ６３と下段左パネル６６の左上隅角部ＵＲ６６とが接合金具１０、及びピン１３によって接合されている。
【００１６】
中段中パネル６４は、正面視で横長長方形状をしており、本実施形態では上段左パネル６１と同じ寸法である。中段中パネル６４の左上方には上段左パネル６１が、中段中パネル６４の右上方には上段右パネル６２が、中段中パネル６４の左下方には下段左パネル６６が、中段中パネル６４の右下方には下段右パネル６７が、それぞれ配置されている。そして、中段中パネル６４の左上隅角部ＵＬ６４と上段左パネル６１の右下隅角部ＤＲ６１、中段中パネル６４の右上隅角部ＵＲ６４と上段右パネル６２の左下隅角部ＤＬ６２、中段中パネル６４の左下隅角部ＤＬ６４と下段左パネル６６の右上隅角部ＵＲ６６、及び中段中パネル６４の右下隅角部ＤＲ６４と下段右パネル６７の左上隅角部ＵＬ６７が、それぞれ接合金具１０、及びピン１３によって接合されている。
中段右パネル６５は、正面視で縦長長方形状をしており、本実施形態では中段左パネル６３と同じ寸法である。中段右パネル６５は、上段右パネル６２の右下方に配置されており、左上隅角部ＵＬ６５の上面は上段右パネル６２の右下隅角部ＤＲ６２の下面に対向している。中段右パネル６５の左下方には下段右パネル６７が配置されており、中段右パネル６５の左下隅角部ＤＬ６５の下面は下段右パネル６７の右上隅角部ＵＲ６７の上面に対向している。そして、中段右パネル６５の左上隅角部ＵＬ６５と上段右パネル６２の右下隅角部ＤＲ６２とが接合金具１０、及びピン１３によって接合され、中段右パネル６５の左下隅角部ＤＬ６５と下段右パネル６７の右上隅角部ＵＲ６７とが接合金具１０、及びピン１３によって接合されている。
【００１７】
下段左パネル６６は、正面視で横長長方形状をしており、本実施形態では上段左パネル６１と同じ寸法である。前述したように、下段左パネル６６の左上隅角部ＵＬ６６は中段左パネル６３の右下隅角部ＤＲ６３に対して接合金具１０、及びピン１３によって接合され、下段左パネル６６の右上隅角部ＵＲ６６は中段中パネル６４の左下隅角部ＤＬ６４に対して接合金具１０、及びピン１３によって接合されている。
また、下段左パネル６６は、土台３（図１参照）に対して１個の壁基礎せん断金具２３と２個の壁基礎引張金具２４によって接合されている。壁基礎せん断金具２３は、下段左パネル６６の下面における左右中央に取り付けられ、壁基礎引張金具２４は、下段左パネル６６の下面における左側と右側のそれぞれに１個ずつ取り付けられている。
下段右パネル６７は、正面視で横長長方形状をしており、本実施形態では上段左パネル６１と同じ寸法である。前述したように、下段右パネル６７の左上隅角部ＵＬ６７は中段中パネル６４の右下隅角部ＤＲ６４に対して接合金具１０、及びピン１３によって接合され、下段右パネル６７の右上隅角部ＵＲ６７は中段右パネル６５の左下隅角部ＤＬ６５に対して接合金具１０、及びピン１３によって接合されている。下段右パネル６７は、土台３に対して１個の壁基礎せん断金具２３と２個の壁基礎引張金具２４によって接合されている。壁基礎せん断金具２３は、下段右パネル６７下面の左右中央に取り付けられ、壁基礎引張金具２４は、下段右パネル６７の下面における左側と右側のそれぞれに１個ずつ取り付けられている。
【００１８】
＜木製パネル６について＞
次に、木製パネル６について説明する。図３は、木製パネル６の一例を示す図であり、具体的には中段中パネル６４を説明する正面図、左側面図、及び平面図である。上述した各木製パネル６において、材質や板厚、隅角部に設けられた接合金具１０の取り付け部は共通であるため、中段中パネル６４を例に挙げて説明する。
中段中パネル６４は、正面から見て横長長方形状をした木製のパネルであり、例えば幅Ｗ６４が１４００ｍｍ、高さＨ６４が１０００ｍｍ、厚さｔ６４が１５０ｍｍのＣＬＴによって作製されている。中段中パネル６４が備えた４つの隅角部（左上隅角部ＵＬ６４、右上隅角部ＵＲ６４、左下隅角部ＤＬ６４、右下隅角部ＤＲ６４）には、接合金具１０の一部分が挿入され、且つ挿入された接合金具１０をピン止め固定するための固定手段６ａが設けられている。
この固定手段６ａは、中段中パネル６４の側端面であって厚さ方向の略中間位置に設けられた溝部６ｂと、中段中パネル６４の厚さ方向を貫通する複数のピン挿入孔６ｃと、を有している。溝部６ｂは、例えば幅Ｗ６ｂが４００ｍｍ、高さＨ６ｂが２５０ｍｍ、間隔ｓ６ｂが８ｍｍ又は１１ｍｍであり、ピン挿入孔６ｃは、例えば直径１２ｍｍ、幅方向ピッチｐｔ１が５０ｍｍ、高さ方向ピッチｐｔ２が７５ｍｍであり、千鳥状に設けられている。
なお、木製パネル６の縦横サイズ（Ｗ６４、Ｈ６４）はこの例に限定されず、適宜変更することができる。また厚さ（ｔ６４）も適宜変更できる。例えば、厚さｔ６４が９０ｍｍ乃至２１０ｍｍの範囲のＣＬＴを使用することができる。また、固定手段６ａは、４つの隅角部の全てに設けずに一部の隅角部に設けてもよい。
【００１９】
＜接合金具１０について＞
次に接合金具１０について説明する。図４（ａ）は狭幅接合金具１０Ａを説明する図、図４（ｂ）は広幅接合金具１０Ｒを説明する図、図５はピン１３を説明する図である。後述する様に、狭幅接合金具１０Ａと広幅接合金具１０Ｂとは、第１板状部１０ａと第２板状部１０ｂの重なり部分である連結部１０ｃの幅が異なっており、広幅接合金具１０Ｂの方が狭幅接合金具１０Ａよりも連結部１０ｃの幅が広くなっている。
【００２０】
図４（ａ）に示す狭幅接合金具１０Ａは、一方の木製パネル６が備えた隅角部の溝部６ｂ内に挿入される第１板状部１０ａと、他方の木製パネル６が備えた隅角部の溝部６ｂ内に挿入される第２板状部１０ｂと、第１板状部１０ａと第２板状部１０ｂとを連結する連結部１０ｃと、を有した板状部材であり、例えば厚さ９ｍｍの金属板（鋼板）によって作製されている。狭幅接合金具１０Ａは、第１板状部１０ａと第２板状部１０ｂとが、連結部１０ｃを間に配して左右逆方向へ突出した略Ｓ字型、或いは略Ｚ型を成している。
第１板状部１０ａは、各隅角部分を円弧状に丸めた横長の長方形状をしており、複数の小孔１０ｄが形成されている。本実施形態の第１板状部１０ａは、例えば縦Ｈ１０ａが２２５ｍｍ、横Ｗ１０ａが３４０ｍｍである。第１板状部１０ａの各小孔１０ｄは円形であり、木製パネル６の隅角部（固定手段６ａ）に形成されたピン挿入孔６ｃと直径、及び配置が同じである。従って、第１板状部１０ａを木製パネル６の溝部６ｂ内に挿入し、第１板状部１０ａの各小孔１０ｄを各ピン挿入孔６ｃと位置を合わせた後、図５に示すピン１３（ドリフトピン）を各ピン挿入孔６ｃ、及び各小孔１０ｄに挿通することにより、第１板状部１０ａを木製パネル６の隅角部（溝部６ｂ）に対してピン止め固定できる。本実施形態において、ピン１３は、鋼製の円柱状部材であり、直径１２ｍｍ、長さ１３５ｍｍであるが、この構成に限定されない。
【００２１】
第２板状部１０ｂは、各隅角部分を円弧状に丸めた横長の長方形状をしており、複数の小孔１０ｄが形成されている。本実施形態の第２板状部１０ｂは第１板状部１０ａと同じ寸法に作製され、且つ各小孔１０ｄの配列も第１板状部１０ａと同じである。従って、第２板状部１０ｂもまた、第１板状部１０ａと同じ手順によって木製パネル６の隅角部（溝部６ｂ）に対してピン止め固定できる。
連結部１０ｃは、第１板状部１０ａと第２板状部１０ｂとの間に位置し、第１板状部１０ａ、及び第２板状部１０ｂと連続した横長の領域である。本実施形態の連結部１０ｃは、例えば縦H１０ｃが６０ｍｍ、横Ｗ１０ｃが９０ｍｍである。従って、狭幅接合金具１０Ａにおいて、第１板状部１０ａと第２板状部１０ｂとは左右方向に位置をずらして連結されており、左右方向の重なり部分が９０ｍｍである。
【００２２】
図４（ｂ）に示す広幅接合金具１０Ｂは、基本的な構成が狭幅接合金具１０Ａと共通している。例えば、広幅接合金具１０Ｂは、一方の木製パネル６が備えた隅角部の溝部６ｂ内に挿入される第１板状部１０ａと、他方の木製パネル６が備えた隅角部の溝部６ｂ内に挿入される第２板状部１０ｂと、第１板状部１０ａと第２板状部１０ｂとを連結する連結部１０ｃと、を有した板状部材であり、例えば厚さ６ｍｍの鋼板によって作製されている。
本実施形態の第２板状部１０ｂは、例えば縦Ｈ１０ｂが２２５ｍｍ、横Ｗ１０ａが３７５ｍｍである。第２板状部１０ｂの各小孔１０ｄは、木製パネル６の隅角部に形成されたピン挿入孔６ｃと直径、及び配置が同じである。
第２板状部１０ｂは、隅部分を円弧状に丸めた横長の長方形状をしており、複数の小孔１０ｄが形成されている。本実施形態の第２板状部１０ｂは第１板状部１０ａと同じ寸法に作製され、且つ各小孔１０ｄの配列も第１板状部１０ａと同じである。従って、第２板状部１０ｂもまた、第１板状部１０ａと同じ手順によって木製パネル６の隅角部にピン止め固定できる。
連結部１０ｃは、第１板状部１０ａと第２板状部１０ｂとの間に位置し、第１板状部１０ａ、及び第２板状部１０ｂと連続した横長の領域である。本実施形態の連結部１０ｃは、例えば縦H１０ｃが６０ｍｍ、横Ｗ１０ｃが２４０ｍｍである。従って、広幅接合金具１０Ｂにおいて、第１板状部１０ａと第２板状部１０ｂとは左右方向に位置をずらして連結されており、２４０ｍｍの範囲が左右方向に重なっている。従って、広幅接合金具１０Ｂもまた、第１板状部１０ａと第２板状部１０ｂとが略Ｓ字型、或いは略Ｚ型を成している。
【００２３】
各接合金具１０Ａ、１０Ｂに関し、連結部１０ｃの横幅Ｗ１０ｃは、木製パネル６の大きさや必要な接合強度に応じて定めることができる。また、接合金具１０は、狭幅接合金具１０Ａや広幅接合金具１０Ｂとは異なる形状であってもよい。例えば、接合金具１０は、上述の厚さに限定されない。さらに、接合金具１０の材質は、鋼板以外の金属材料を用いてもよい。
【００２４】
＜接合構造のまとめ＞
以上の構成を有する接合構造によれば、各木製パネル６を市松状に配置して隅角部同士を接合金具１０によって組み合わせることにより、採光性や美観を有しつつ、耐震性を備えた壁５を構成できる。
また、各接合金具１０をピン止めしているため、接合部分に対して過剰に大きな外力が加わったとしても、各木製パネル６の隅角部が破損する前にピン１３を屈曲させることにより、各木製パネル６の隅角部の破損を有効に防止できる。
加えて、木製パネル６よりも高い強度のピン１３を、各木製パネル６の厚さ方向に挿入しているため、各木製パネル６の接合部分において面外方向の過度な撓みを抑制することができ、接合部分は面外方向について一定の強度を有する。
さらに、接合金具１０の材質や厚さ、連結部１０ｃの形状（縦横の大きさ）、ピン１３（ピン挿入孔６ｃ、各板状部１０ａ、１０ｂの小孔１０ｄ）の太さ、ピン１３の本数、及びピン１３の配置を適宜定めることによって、木製パネル６同士の接合強度を調整することができる。
その結果、複数枚の木製パネル６の隅角部同士を接合して作製した壁５（構面）であっても、局所的に接合強度が低い脆弱部をなくすことができる。従って、木製パネル６の隅角部同士を接合した壁５であっても、全体を木製パネル６で作製した壁と同等の強度を得ることができる。
【００２５】
＜接合構造の強度試験＞
次に、上述した接合構造の強度を確認するために行った強度試験について説明する。
強度試験は、図６に示す第１の試験体１００と、図９に示す第２の試験体２００のそれぞれに対して行った。後述するように、第１の試験体１００は、２枚の小パネル１１０（１１０Ｌ，１１０Ｒ）と１枚の大パネル１２０とを図４（ａ）で説明した狭幅接合金具１０Ａによって接合したものであり、第２の試験体２００は、２枚の小パネル２１０（２１０Ｌ，２１０Ｒ）と１枚の大パネル２２０とを図４（ｂ）で説明した広幅接合金具１０Ｂによって接合したものである。
【００２６】
＜第１の試験体１００について＞
図６は第１の試験体１００を説明する図、図７（ａ）は第１の試験体１００に使用する小パネル１１０を説明する図、図７（ｂ）は第１の試験体１００に使用する大パネル１２０を説明する図、図８は第１の試験体１００による荷重試験結果を示す図である。
図６に示す第１の試験体１００は、１枚の大パネル１２０と、大パネル１２０の左側面下部に右側面上部が対向配置された左小パネル１１０Ｌと、大パネル１２０の右側面下部に左側面上部が対向配置された右小パネル１１０Ｒと、大パネル１２０と左小パネル１１０Ｌとをピン止め固定する左接合金具１３０と、大パネル１２０と右小パネル１１０Ｒとをピン止め固定する右接合金具１４０と、を備えている。
第１の試験体１００における左接合金具１３０、及び右接合金具１４０の向きは、図１（ｂ）の接合構造における第１の金具１０Ｌ、及び第２の金具１０Ｒとは異なっている。具体的には、第１の試験体１００において、左接合金具１３０、及び右接合金具１４０は、第１板状部１０ａと第２板状部１０ｂとが上下方向にずれているのに対し、図１（ｂ）の接合構造において、第１の金具１０Ｌ、及び第２の金具１０Ｒは、第１板状部１０ａと第２板状部１０ｂとが左右方向にずれている点が異なっている。
これは、強度試験で使用する載荷装置が上下方向に荷重を加える仕様になっており、せん断方向の強度を試験するためには、各接合金具１３０、１４０取り付け方向を変更する必要があったためである。
【００２７】
図７（ａ）に示すように、小パネル１１０（左小パネル１１０Ｌ、右小パネル１１０Ｒ）は、幅Ｗ１１０が６００ｍｍ、高さＨ１１０が８００ｍｍ、厚さｔ１１０が１５０ｍｍの縦長長方形をしたＣＬＴによって作製されている。小パネル１１０の上右隅角部ＵＲ１１０には、狭幅接合金具１０Ａ（左接合金具１３０、右接合金具１４０）の一部分（第２板状部１０ｂ）が挿入され、且つ挿入された狭幅接合金具１０Ａをピン止め固定するための固定手段６ａが設けられている。
この小パネル１１０は、左小パネル１１０Ｌと右小パネル１１０Ｒの何れにも使用できる。例えば、小パネル１１０を左小パネル１１０Ｌとして使用する時には図７（ａ）の向きで使用すればよく、小パネル１１０を左小パネル１１０Ｌとして使用する時には、図７（ａ）の向きから表と裏を反転させ、固定手段６ａが小パネル１１０の上左隅角部に配置される向きで使用すればよい。
固定手段６ａは、小パネル１１０の側端面であって厚さ方向の中間位置に設けられた溝部６ｂと、小パネル１１０の厚さ方向を貫通する複数のピン挿入孔６ｃと、を有している。溝部６ｂは、幅Ｗ６ｂが２８５ｍｍ、高さＨ６ｂが３９７．５ｍｍ、間隔ｔ６ｂが１１ｍｍであり、ピン挿入孔６ｃは、直径１２ｍｍ、幅方向ピッチ５０ｍｍ、高さ方向ピッチ７５ｍｍであり、千鳥状に設けられている。
【００２８】
図７（ｂ）に示すように、大パネル１２０は、幅Ｗ１２０が１４００ｍｍ、高さＨ１２０が８００ｍｍ、厚さｔ１２０が１５０ｍｍの横長長方形をしたＣＬＴによって作製されている。大パネル１２０の下左隅角部ＤＬ１２０、及び下右隅角部ＤＲ１２０には、狭幅接合金具１０Ａ（左接合金具１３０、右接合金具１４０）の一部分（第１板状部１０ａ）が挿入され、且つ挿入された狭幅接合金具１０Ａをピン止め固定するための固定手段６ａが設けられている。
固定手段６ａは、大パネル１２０の側端面であって厚さ方向の中間位置に設けられた溝部６ｂと、木製パネル６の厚さ方向を貫通する複数のピン挿入孔６ｃと、を有している。溝部６ｂは、幅Ｗ６ｂが２８５ｍｍ、高さＨ６ｂが３９７．５ｍｍ、厚さｔ６ｂが１１ｍｍであり、ピン挿入孔６ｃは、直径１２ｍｍ、幅方向ピッチ５０ｍｍ、高さ方向ピッチ７５ｍｍであり、千鳥状に設けられている。
【００２９】
図６に示すように、第１の試験体１００は、幅Ｗ１００が２６００ｍｍ、高さＨ１００が１４５０ｍｍ、厚さｔ１００が１５０ｍｍである。
従って、大パネル１２０の左下側面と左小パネル１１０Ｌの右上側面とを上下方向に１５０ｍｍ重ねて対向配置し、左接合金具１３０（狭幅接合金具１０Ａ）とピン１３とによって各パネル１１０、１２０をピン止め固定している。同様に、大パネル１２０の右下側面と右小パネル１１０Ｒの左上側面とを上下方向に１５０ｍｍ重ねて対向配置し、右接合金具１４０（狭幅接合金具１０Ａ）とピン１３とによって各パネル１１０、１２０をピン止め固定している。
載荷装置を用いた強度試験では第１の試験体１００を４個作製し、当該試験を４回行った。強度試験では、大パネル１２０の上片と下辺とを一対の金属プレート（図示せず）とボルトとによってクランプし、載荷装置のアクチュエータによって大パネル１２０に対して上向きの荷重（引張荷重）を加えた。引張荷重の単位時間あたりの変化量は、静的荷重と見なせる程度の小さなものとした。
【００３０】
試験結果を図８に示す。図８の縦軸は引張荷重（ｋＮ）、横軸は第１の試験体１００の変形量（ｍｍ）、言い換えれば大パネル１２０の各小パネル１１０Ｌ、１１０Ｒに対する相対変位量である。
図８において、バツ印を付した線は１個目の第１の試験体１００の試験結果を示し、三角印を付した線は２個目の第１の試験体１００の試験結果を示している。同様に、四角印を付した線は３個目の第１の試験体１００の試験結果を示し、菱形印を付した線は４個目の第１の試験体１００の試験結果を示している。
【００３１】
各第１の試験体１００において、引張荷重に対する変形量のバラツキは小さくほぼ同じである。このことから、接合部分の強度バラツキが生じやすい木製パネル６（ＣＬＴ製のパネル）を用いても、接合部分の強度が揃えられることが判る。
【００３２】
＜第２の試験体２００について＞
図９は第２の試験体２００を説明する図、図１０（ａ）は第２の試験体２００に使用する小パネル２１０を説明する図、図１０（ｂ）は第２の試験体２００に使用する大パネル２２０を説明する図、図１１は第２の試験体２００による荷重試験結果を示す図である。
図９に示す第２の試験体２００もまた、第１の試験体１００と同様に１枚の大パネル２２０と、左小パネル２１０Ｌと、右小パネル２１０Ｒと、左接合金具２３０と、右接合金具２４０と、を備えている。
第２の試験体２００の第１の試験体１００との違いは、左接合金具２３０、及び右接合金具２４０として、図４（ｂ）の広幅接合金具１０Ｂを用いていること、第２の試験体２００の高さＨ２００が１３００ｍｍであること（大パネル２２０と各小パネル２１０とを上下方向に３００ｍｍ重ねて対向配置していること）、図１０に示すように、固定手段６ａの溝部６ｂが、幅２８５ｍｍ、高さ４３５ｍｍ、間隔９ｍｍであることにある。第２の試験体２００において、他の構成は第１の試験体１００と同じであるため、説明は省略する。
【００３３】
試験結果を図１１に示す。図１１の縦軸は引張荷重（ｋＮ）、横軸は第２の試験体２００の変形量（相対変位量、ｍｍ）である。
図１１において、バツ印を付した線は１個目の第２の試験体２００の試験結果を示し、三角印を付した線は２個目の第２の試験体２００の試験結果を示している。同様に、四角印を付した線は３個目の第２の試験体２００の試験結果を示し、菱形印を付した線は４個目の第２の試験体２００の試験結果を示している。
【００３４】
図１１の試験結果に示すように、各第２の試験体２００において、引張荷重に対する変形量のバラツキは小さくほぼ同じである。このことから、接合部分の強度を調整できることが判る。
さらに、第２の試験体２００の試験結果を第１の試験体１００の試験結果と比較すると、引張荷重と変形量の関係はほぼ同様であることが判る。このことから、接合金具１０の形状（連結部１０ｃの幅や接合金具１０の厚さ）を変更することにより、接合構造の強度を調整できることが判る。
【００３５】
＜壁５の強度試験＞
次に、壁５（構面）の強度試験について説明する。前述の強度試験では、接合構造を対象にした局所的な強度を対象にしていたのに対し、この強度試験では壁５を対象にした全体的な強度を対象にしている。
この強度試験は、図１２に示す第３の試験体３００、図１４に示す第４の試験体４００、図１５に示す第５の試験体５００、図１６に示す第６の試験体６００のそれぞれに対して行った。
【００３６】
図１２に示す第３の試験体３００は、２枚の上段パネル３６１、３６２と、３枚の中段パネル３６３乃至３６５と、２枚の下段パネル３６６、３６７とを図４（ａ）で説明した狭幅接合金具１０Ａによって市松状に接合したものであり、図１４に示す第４の試験体４００は、２枚の上段パネル４６１、４６２と、３枚の中段パネル４６３乃至４６５と、２枚の下段パネル４６６、４６７とを図４（ｂ）で説明した広幅接合金具１０Ｂによって市松状に接合したものである。
図１５に示す第５の試験体５００は、３枚の上段パネル５６１乃至５６３と２枚の下段パネル５６４及び５６５とを狭幅接合金具１０Ａ、及び広幅接合金具１０Ｂによって接合したものであり、図１６に示す第６の試験体６００は従来の方法によって３枚の木製パネル６６１乃至６６３を接合したものである。
【００３７】
＜第３の試験体３００について＞
図１２は第３の試験体３００を説明する図、図１３は第３の試験体３００を取り付けた載荷装置７００を示す図、図１７は、第３の試験体３００乃至第６の試験体６００による荷重試験結果をまとめた図である。なお、図１７は、後述する第４の試験体４００乃至第６の試験体６００の説明でも参照する。
図１２に示す第３の試験体３００は、図２で説明した壁５と同様に、木製パネル６を市松状に３段積層し、上側に位置する木製パネル６の隅角部の下辺と下側に位置する木製パネル６の隅角部の上片とを対向させて、両隅角部を接合金具１０（狭幅接合金具１０Ａ）によって接合（ピン止め固定）している。
第３の試験体３００に関し、便宜上、上段左側の木製パネル６のことを上段左パネル３６１といい、上段右側の木製パネル６のことを上段右パネル３６２といい、中段左側の木製パネル６のことを中段左パネル３６３といい、中段中央の木製パネル６のことを中段中パネル３６４といい、中段右側の木製パネル６のことを中段右パネル３６５といい、下段左側の木製パネル６のことを下段左パネル３６６といい、下段右側の木製パネル６のことを下段右パネル３６７という。
【００３８】
上段左パネル３６１は、正面視で横長長方形状をしており、幅１４００ｍｍ、高さ１０００ｍｍ、厚さ１５０ｍｍである。上段左パネル３６１の下左隅角部、及び下右隅角部には、固定手段６ａ（溝部６ｂ、ピン挿入孔６ｃ、図３参照）が設けられており、溝部６ｂには狭幅接合金具１０Ａの第１板状部１０ａが挿入され、ピン挿入孔６ｃにピン１３（ドリフトピン）を挿入することにより、溝部６ｂ内の第１板状部１０ａをピン止め固定する。溝部６ｂは、幅３９７．５ｍｍ、高さ２８５ｍｍ、厚さ１１ｍｍであり、ピン挿入孔６ｃは、直径１２ｍｍ、幅方向ピッチ５０ｍｍ、高さ方向ピッチ７５ｍｍであって千鳥状に設けられている。
上段左パネル３６１は、ＣＬＴ床３４０の左下面に対して２個の壁床せん断金具３２１と４本の壁床引張引張金具３２２によって接合されている。壁床せん断金具３２１は、上段左パネル３６１の上面における左右中央側に取り付けられ、壁床引張引張金具３２２は、壁床せん断金具２１よりも左側と右側のそれぞれに２本ずつ取り付けられている。
上段右パネル３６２は、上段左パネル３６１と同じ構造であり、寸法も同じであるため、説明は省略する。上段右パネル３６２はＣＬＴ床４の右下面に１個の壁床せん断金具２１と４本の壁床引張引張金具３２２によって接合されており、上段右パネル３６２と上段左パネル３６１との間には開口部ＳＰが形成されている。壁床せん断金具３２１は、上段右パネル３６２の上面における左右中央側に取り付けられ、壁床引張引張金具３２２は、壁床せん断金具３２１よりも左側と右側のそれぞれに２本ずつ取り付けられる。
【００３９】
中段左パネル３６３は、正面視で縦長長方形状をしており、幅５００ｍｍ、高さ１０００ｍｍ、厚さ１５０ｍｍである。中段左パネル３６３の上部と下部のそれぞれには固定手段６ａが設けられている。上部の固定手段６ａの溝部６ｂには狭幅接合金具１０Ａの第２板状部１０ｂが挿入され、下部の固定手段６ａの溝部６ｂには狭幅接合金具１０Ａの第１板状部１０ａが挿入され、それぞれピン止め固定される。これらの固定手段６ａは、上段左パネル３６１が備えた固定手段６ａと同じ構成であるため、説明は省略する。
中段中パネル３６４は、正面視で横長長方形状をしており、幅１１００ｍｍ、高さ１０００ｍｍ、厚さ１５０ｍｍである。中段中パネル３６４の４つの隅角部のそれぞれには固定手段６ａが設けられている。上部の２つの固定手段６ａには狭幅接合金具１０Ａの第２板状部１０ｂが挿入され、下部の２つの固定手段６ａには狭幅接合金具１０Ａの第１板状部１０ａが挿入され、それぞれピン止め固定される。
中段右パネル３６５は、正面視で縦長長方形状をしており、本実施形態では中段左パネル３６３と同じものを表と裏とを反転させて使用している。このため、説明は省略する。
【００４０】
下段左パネル３６６は、正面視で横長長方形状をしており、幅１４００ｍｍ、高さ１０００ｍｍ、厚さ１５０ｍｍである。下段左パネル３６６の上左隅角部、及び上右隅角部には固定手段６ａが設けられており、溝部６ｂには狭幅接合金具１０Ａの第２板状部１０ｂが挿入され、ピン挿入孔６ｃにはピン１３が挿入される。固定手段６ａは、上段左パネル３６１が備えた固定手段６ａと同じ構成であるため、説明は省略する。
下段左パネル３６６は、土台３３０に対して１個の壁基礎せん断金具３２３と４本の壁基礎引張金具３２４とによって接合されている。下段左パネル３６６の下左隅部と下右隅部には、２本の壁基礎引張金具３２４を取り付けるための切り欠きが設けられている。
下段右パネル３６７は、下段左パネル３６６と同じものを用いている。このため、説明は省略する。下段右パネル３６７は、土台３３０に対して１個の壁基礎せん断金具３２３と４本の壁基礎引張金具３２４によって接合されている。
【００４１】
図１３に示すように、第３の試験体３００を載荷試験装置７００に取り付けて面内壁せん断試験を行った。面内壁せん断試験では正負交番繰り返し１回載荷とし、変位スケジュール（変形角＝変形量／試験体高さ）を１／４５０、１／３００、１／２００、１／１５０、１／１００、１／７５、１／５０、１／３０、引き切りとした。
すなわち、面内壁せん断試験では、アクチュエータ７１０によって試験体の上部（ＣＬＴ床３４０）を右方向へ引いた後、左方向へ押す操作を、変位スケジュールで指定した変形角毎に行った。例えば、第３の試験体３００の変形角が１／４５０になるまでＣＬＴ床３４０を右方向へ引いた後、変形角が−１／４５０になるまでＣＬＴ床３４０を左方向へ押した。次に、変形角が１／３００となるまでＣＬＴ床３４０を右方向へ引いた後、変形角が−１／３００になるまでＣＬＴ床３４０を左方向へ押した。このような操作を、上述の変位スケジュールに従って行った。
【００４２】
図１７中の丸印を付した線分は、第３の試験体３００による試験結果を示す。第３の試験体３００では、右方向に４００ｋＮ（＋４００ｋＮ）の荷重をかけた時に右方向への変位が６０ｍｍ（＋６０ｍｍ）になり、左方向に４００ｋＮ（−４００ｋＮ）の荷重をかけた時に右方向への変位が６０ｍｍ（−６０ｍｍ）になった。
【００４３】
＜第４の試験体４００について＞
図１４は第４の試験体４００を説明する図である。
図１４に示す第４の試験体４００は第３の試験体３００と基本的な構成が同じであり、上段左パネル４６１、上段右パネル４６２、中段左パネル４６３、中段中パネル４６４、中段右パネル４６５、下段左パネル４６６、及び下段右パネル４６７を備えている。
第４の試験体４００は、第３の試験体３００と比較して次の点が相違している。第１に、第４の試験体４００では、対向する隅角部同士を広幅接合金具１０Ｂによって接合している点、固定手段６ａが備えた溝部６ｂの幅が４３５ｍｍ、高さが２８５ｍｍ、間隔が９ｍｍである点、及び中段中パネル４６４の幅が１４００ｍｍである点が第３の試験体３００と相違している。第４の試験体４００における他の構成は、第３の試験体３００と同じである。例えば、ＣＬＴ床４４０、壁床せん断金具４２１、壁床引張引張金具４２２、土台４３０、壁基礎せん断金具４２３、及び壁基礎引張金具４２４は、それぞれ第３の試験体３００におけるＣＬＴ床３４０、壁床せん断金具３２１、壁床引張引張金具３２２、土台３３０、壁基礎せん断金具３２３、及び壁基礎引張金具３２４に対応している。このため、説明は省略する。
第４の試験体４００に対しても、第３の試験体３００と同じ内容の面内壁せん断試験を行った。
図１７中のバツ印を付した線分は、第４の試験体４００による試験結果を示す。第４の試験体４００では、右方向に４８０ｋＮ（＋４８０ｋＮ）の荷重をかけた時に右方向への変位が６０ｍｍ（＋６０ｍｍ）になり、左方向に４８０ｋＮ（−４８０ｋＮ）の荷重をかけた時に右方向への変位が６０ｍｍ（−６０ｍｍ）になった。
【００４４】
＜第５の試験体５００について＞
図１７は第５の試験体５００を説明する図である。
図１７に示す第５の試験体５００は、大きさが異なる複数種類の木製パネル６を用いることにより、隣り合うパネル同士の間に形成した各開口部ＳＰの大きさを異ならせており、且つ図４（ａ）に示す広幅接合金具１０Ａ、及び図４（ｂ）に示す広幅接合金具１０Ｂの両方を用いて、各木製パネル６を接合している点が第３の試験体３００、及び第４の試験体４００と相違している。
第５の試験体５００では、上段と下段のそれぞれに木製パネル６が３枚ずつ配置されており、一部の木製パネル６については隅角部同士が対向配置されて固定手段６ａ（溝部６ｂ、ピン挿入孔６ｃ）によって接合されている。
便宜上、以下の説明では、上段側に位置する３枚の木製パネル６を左端から右側に向けて上第１パネル５６１、上第２パネル５６２、及び上第３パネル５６３といい、下段側に位置する３枚の木製パネル６を左端から右側に向けて下第１パネル５６４、下第２パネル５６５、及び下第３パネル５６６という。
【００４５】
上第１パネル５６１は、正面視で縦長長方形状をしており、幅５００ｍｍ、高さ１０００ｍｍ、厚さ１５０ｍｍである。上第１パネル５６１は、ＣＬＴ床５４０の左下面に対して２本の壁床引張引張金具５２２によって接合されている。２本の壁床引張引張金具５２２は上第１パネル５６１の上面における左右中央と右側に取り付けられる。
上第１パネル５６１の下面には、固定手段６ａが設けられており、溝部６ｂには広幅接合金具１０Ｂの第１板状部１０ａが挿入され、挿入された第１板状部１０ａはピン止め固定されている。溝部６ｂは、幅３９７．５ｍｍ、高さ２８５ｍｍ、間隔９ｍｍであり、ピン挿入孔６ｃは、直径１２ｍｍ、幅方向ピッチ５０ｍｍ、高さ方向ピッチ７５ｍｍであって千鳥状に設けられている。
【００４６】
上第２パネル５６２は、正面視で横長長方形状をしており、幅１９５０ｍｍ、高さ１０００ｍｍ、厚さ１５０ｍｍである。
上第２パネル５６２の下左隅角部ＤＬ５６２には固定手段６ａが設けられており、溝部６ｂには広幅接合金具１０Ｂの第１板状部１０ａが挿入され、挿入された第１板状部１０ａはピン止め固定されている。溝部６ｂは、上第１パネル５６１の下面に設けられた溝部６ｂと同じものであるため、説明は省略する。
上第２パネル５６２の下右隅角部ＤＲ５６２にも固定手段６ａが設けられており、溝部６ｂには狭幅接合金具１０Ａの第１板状部１０ａが挿入され、挿入された第１板状部１０ａはピン止め固定されている。溝部６ｂは、幅４３５ｍｍ、高さ２８５ｍｍ、間隔１１ｍｍであり、ピン挿入孔６ｃは、直径１２ｍｍ、幅方向ピッチ５０ｍｍ、高さ方向ピッチ７５ｍｍであって千鳥状に設けられている。
上第２パネル５６２は、ＣＬＴ床５４０の中央左側の下面に対して３個の壁床せん断金具５２１と４本の壁床引張引張金具５２２によって接合されている。壁床せん断金具５２１は、上第２パネル５６２の上面の左右中央側に取り付けられており、壁床引張引張金具５２２は、上第２パネル５６２の上面における壁床せん断金具５２１よりも左側と右側のそれぞれに２本ずつ取り付けられる。
【００４７】
上第３パネル５６３は、正面視で縦長長方形状をしており、幅４５０ｍｍ、高さ１０００ｍｍ、厚さ１５０ｍｍである。上第３パネル５６３は、ＣＬＴ床４の右下面に対して２本の壁床引張引張金具５２２によって接合されている。壁床引張引張金具５２２は、上段右パネル５６４上面の左側と右側のそれぞれに取り付けられる。
【００４８】
下第１パネル５６４は、正面視で縦長長方形状をしており、幅１５００ｍｍ、高さ２０００ｍｍ、厚さ１５０ｍｍである。下第１パネル５６４の上左隅角部ＵＬ５６４、及び上右隅角部ＵＲ５６４には、それぞれ固定手段６ａが設けられており、溝部６ｂには広幅接合金具１０Ｂの第２板状部１０ｂが挿入され、且つ挿入された第２板状部１０ｂはピン止め固定されている。下第１パネル５６４は、土台５３０に対して１個の壁基礎せん断金具５２３と４本の壁基礎引張金具５２４によって接合されている。また、下第１パネル５６４の下左隅部と下右隅部には、２本の壁基礎引張金具５２４を取り付けるための切り欠きが設けられている。
【００４９】
下第２パネル５６５は、正面視で横長長方形状をしており、幅１５００ｍｍ、高さ１０００ｍｍ、厚さ１５０ｍｍである。下第２パネル５６５は、下第１パネル５６４と下第３パネル５６６との間に取付金具５２５を介して取り付けられている。取付金具５２５は、下第３パネル５６７の左側面と右側面とに設けられており、下第２パネル５６５を下第１パネル５６４と下第３パネル５６６のそれぞれに接合する。
下第３パネル５６６は、正面視で縦長長方形状をしており、幅１５００ｍｍ、高さ２０００ｍｍ、厚さ１５０ｍｍである。下第３パネル５６６の上右隅角部は、上第３パネル５６３を接合している２本の壁床引張引張金具５２２が下方に延長されることによって接合されている。下第３パネル５６６の上左隅角部ＵＬ５６６には固定手段６ａが設けられており、溝部６ｂには狭幅接合金具１０Ａの第２板状部１０ｂが挿入され、且つ挿入された第２板状部１０ｂはピン止め固定されている。この固定手段６ａは、上第３パネル５６３の右下隅角部ＤＲ５６３に設けられた固定手段６ａと同じ構成である。下第４パネル５６８は、土台５３０に対して１個の壁基礎せん断金具５２３と４本の壁基礎引張金具５２４によって接合されている。下第４パネルの下左隅部と下右隅部には、２本の壁基礎引張金具５２４を取り付けるための切り欠きが設けられている。
【００５０】
第５の試験体５００に対しても、第３の試験体３００と同じ内容の面内壁せん断試験を行った。
図１７中の三角印を付した線分は、第５の試験体５００による試験結果を示す。第５の試験体５００では、右方向に４６０ｋＮ（＋４６０ｋＮ）の荷重をかけた時に右方向への変位が４０ｍｍ（＋４０ｍｍ）になり、左方向に４６０ｋＮ（−４６０ｋＮ）の荷重をかけた時に右方向への変位が４０ｍｍ（−４０ｍｍ）になった。
【００５１】
＜第６の試験体６００について＞
図１６は第６の試験体６００を説明する図である。
図１６に示す第６の試験体６００は、左側と右側のそれぞれに大型の木製パネル６を左右方向に間隔を空けて配置し、両木製パネル６の上部同士を小型の木製パネル６で連結したものであり、いわゆる従来工法で作製した試験体である。便宜上、以下の説明では、第６の試験体６００の左側に位置する大型の木製パネル６を左大パネル６６１といい、右側に位置する大型の木製パネル６を右大パネル６６２といい、中央上部に位置する小型の木製パネル６を中小パネル６６３という。
左大パネル６６１は、正面視で縦長長方形状をしており、幅１４００ｍｍ、高さ３０００ｍｍ、厚さ１５０ｍｍである。左大パネル６６１は、ＣＬＴ床６４０の左下面に対して２個の壁床せん断金具６２１と４本の壁床引張引張金具６２２によって接合されている。壁床せん断金具６２１は左大パネル６６１における上面の左右中央部に取り付けられており、壁床引張引張金具６２２は壁床せん断金具６２１よりも左側に２本、壁床せん断金具６２１よりも右側に２本取り付けられている。
左大パネル６６１は、土台６３０に対して１個の壁基礎せん断金具６２３と４本の壁基礎引張金具６２４によって接合されている。左大パネル６６１の下左隅部と下右隅部のそれぞれには、２本の壁基礎引張金具６２４を取り付けるための切り欠きが設けられている。
右大パネル６６２は、左大パネル６６１と同じく正面視で縦長長方形状をしている。本実施形態の右大パネル６６２は、左大パネル６６１と構成が同じであるため、説明を省略する。
中小パネル６６３は、左大パネル６６１と右大パネル６６２の間の上部に配置され、左大パネル６６１と右大パネル６６２のそれぞれに対して接合金具６２５によって接合されている。これにより、中小パネル６６３よりも下方には開口部ＳＰが形成されている。
【００５２】
第６の試験体６００に対しても、第３の試験体３００と同じ内容の面内壁せん断試験を行った。
図１７中の四角印を付した線分は、第６の試験体６００による試験結果を示す。第６の試験体６００では、右方向に３１０ｋＮ（＋３１０ｋＮ）の荷重をかけた時に右方向への変位が１００ｍｍ（＋１００ｍｍ）を超え、左方向に３００ｋＮ（−３００ｋＮ）の荷重をかけた時に右方向への変位が６０ｍｍ（−６０ｍｍ）になった。このように、従来工法で作製した第６の試験体６００は、第３の試験体３００乃至第５の試験体５００と比較してパネル同士の接合強度が低くなっている。
【００５３】
＜試験結果について＞
図１７に示すように、第３の試験体３００乃至第５の試験体５００と第６の試験体６００とが同じ変形量の時に、第３の試験体３００乃至第５の試験体５００の方が第６の試験体６００よりも荷重が大きいことから、本発明に係る接合構造を適用した第３の試験体３００乃至第５の試験体５００は、従来工法で作製した第６の試験体６００と比較して高い強度を有しているといえる。
また、大きさが異なる複数種類の木製パネル６を接合して大きさが異なる複数の開口部ＳＰを形成し、且つ図４（ａ）に示す狭幅接合金具１０Ａと図４（ｂ）に示す広幅接合金具１０Ｂとを使用した第５の試験体５００は、木製パネル６を市松状に接合した第３の試験体３００、及び第４の試験体４００と比較して、高い強度を有している。従って、本発明に係る接合構造を採ることにより、小孔１０ｄの大きさや木製パネル６の大きさに自由度を持たせても壁５として十分な強度を得ることができる。
【００５４】
＜変形例について＞
前述の各実施形態では、接合金具１０（狭幅接合金具１０Ａ広幅接合金具１０Ｂ）に関し、連結部１０ｃを挟んで第１板状部１０ａと第２板状部１０ｂとを左右方向に位置をずらしていたが、この構成に限定されない。
例えば、図１８に示す第１変形例の接合金具１０Ｃのように、各接合金具１０を、複数の小孔１０ｄを形成した長方形や正方形の鋼板によって作製してもよいし、図１９に示す第２変形例の接合金具１０Ｄのように、各接合金具１０Ｄを六角形の鋼板によって作製してもよい。
【００５５】
図２０に示す第３変形例の接合金具１０Ｅのように、上下方向に沿った円筒部１０ｅと、円筒部１０ｅの中間位置に軸中心と直交する方向に形成された略正方形状の横板部１０ｆと、円筒部１０ｅの側面に軸方向に沿って設けられた縦板部１０ｇと、縦板部１０ｇに設けられた長円状の開口１０ｈとを備えた構成にしてもよい。図２１に示すように、この接合金具１０Ｅもまた、一方の木製パネル６（上段左パネル６１乃至下段右パネル６７）の隅角部と他方の木製パネル６の隅角部との接合箇所に配置される。この接合金具１０では、円筒部の内部にＣＬＴ床４と土台３との間に配置された通しボルト２５が挿通される。
図２２に示す第４変形例の接合金具１０Ｆのように、縦長長方形状の鋼板によって作製され、互いに並行に配置された２枚の縦板部１０ｉと、縦板部１０ｉの長手方向の中間に、縦板部１０ｉとは直交する方向に配置された長方形状の横板部１０ｊと、縦板部１０ｉに設けられた長円状の開口１０ｋと、横板部１０ｊの中心に設けられた開口１０ｍと、を有する構成としてもよい。この接合金具１０Ｆもまた、一方の木製パネル６の隅角部と他方の木製パネル６の隅角部との接合箇所に配置され、横板部１０ｊの開口１０ｍには通しボルト２５（図２１参照）が挿通される。
【００５６】
木製パネル６に関し、前述の実施形態ではＣＬＴを長方形状に加工したものを例示したが、この構成に限定されない。例えば、図２３（ａ）に示す木製パネル６’のように、４つの隅角部を外側に向けて先尖状に張り出してもよい。図２３（ｂ）に示すように、この木製パネル６を使用することにより、開口部を八角形状にすることができ、壁５のデザイン性を高めることができる。
なお、木製パネル６に関し、ＣＬＴ以外の構造用木材を使用してもよい。
また、木製パネル６の接合に使用したピン１３に関し、円柱形状以外の形状であってもよい。例えば、三角柱形状、四角柱形状、六角柱形状であってもよい。
【００５７】
〔本発明の実施態様例と作用、効果のまとめ〕
＜第一の実施態様＞
本態様に係る木製パネル６間の接合構造は、上辺又は下辺に左右２つの隅角部を有した第１の木製パネル６Ａと、第１の木製パネル６Ａの左隅角部の一辺に対して、右上、又は右下の隅角部の一辺を対向させた状態で配置される第２の木製パネル６Ｂと、第１の木製パネル６Ａの右隅角部の一辺に対して、左上、又は左下の隅角部の一辺を対向させた状態で、第２の木製パネル６Ｂの横方向位置に配置される第３の木製パネル６Ｃと、第２の木製パネル６Ｂと第３の木製パネル６Ｃとの間に形成される空間（開口部ＳＰ）と、第１の木製パネル６Ａの左隅角部の一辺と、該左隅角部に対向配置される第２の木製パネル６Ｂの右隅角部の一辺とに跨がってピン止め固定される第１の金具１０Ｌ（接合金具１０）と、第１のパネルの右隅角部の一辺と、該右隅角部に対向配置される第３の木製パネル６Ｃの左隅角部の一辺とに跨がってピン止め固定される第２の金具１０Ｒ（接合金具１０）と、を備えたことを特徴とする。
【００５８】
本態様に係る接合構造によれば、各木製パネル６の隅角部同士を接合して美観を向上させても、各接合金具１０によって必要な接合強度が得られる。また、各接合金具１０をピン止め固定しているため、接合部分に対して過剰に大きな外力が加わったとしても、各木製パネル６の隅角部が破損する前にピン１３を屈曲させることにより、隅角部の破損を防止できる。さらに、接合金具１０とピン１３の組み合わせによって隅角部毎に接合強度を調整できる。その結果、複数枚の木製パネル６を市松状に配置して隅角部同士を接合金具１０によって組み合わせることにより、採光性や美観を有しつつ、耐震性を備えた壁５を構成できる。
【００５９】
＜第二の実施態様＞
本態様に係る木製パネル６間の接合構造は、第１の木製パネル６Ａ、第２の木製パネル６Ｂ、及び第３の木製パネル６Ｃが、ＣＬＴによって構成されていることを特徴とする。
本態様に係る接合構造によれば、強度の高い壁５を構築することができる。
【００６０】
＜第三の実施態様＞
本態様に係る木製パネル６間の接合構造は、第１の金具１０Ｌ、及び第２の金具１０Ｒが、金属製のピン１３が挿通される複数の小孔１０ｄを形成した金属板（鋼板）によって構成され、各木製パネル６は、その側端面に形成されて金属板の一部分（第１板状部１０ａ、第２板状部１０ｂ）が挿入される溝部６ｂと、各木製パネル６の厚さ方向を貫通するピン挿入孔６ｃと、を備えていることを特徴とする。
本態様に係る接合構造によれば、金具の厚さやピン１３の太さによって接合箇所の強度を容易に調整できる。
【００６１】
＜第四の実施態様＞
本態様に係る木製パネル６間の接合構造は、第１の金具１０Ｌ、及び第２の金具１０Ｒが、第１の木製パネル６Ａが備えた溝部６ｂに挿入される第１板状部１０ａと、第２の木製パネル６Ｂ又は第３の木製パネル６Ｃが備えた溝部６ｂに挿入される第２板状部１０ｂと、第１板状部１０ａと第２板状部１０ｂとの間に位置し、第１板状部１０ａと第２板状部１０ｂとを左右方向に位置をずらして連結する連結部１０ｃと、を備えることを特徴とする。
本態様に係る接合構造によれば、第１板状部１０ａと第２板状部１０ｂの左右方向へのずれ量に応じて接合箇所の強度を容易に調整できる。
【００６２】
＜第五の実施態様＞
本態様に係る建物１の壁５（木製パネル耐震壁）は、請求項１乃至４の何れか一項に記載の木製パネル６間の接合構造を備えたことを特徴とする。
本態様に係る壁５によれば、複数枚の木製パネル６によって採光性や美観を向上させることができる。
【符号の説明】
【００６３】
１…建物、５…壁、６…木製パネル、６ａ…固定手段、６ｂ…溝部、６ｃ…ピン挿入孔、１０…接合金具、１０ａ…第１板状部、１０ｂ…第２板状部、１０ｃ…連結部、１０ｄ…小孔、１３…ピン（ドリフトピン）
【要約】
【課題】木製パネル６を市松状に配置し、接合金物と組み合わせることで採光性、美観、耐震性を備えた接合構造を構成する。
【解決手段】互いに市松状に配置された第１の木製パネル６Ａと、第２の木製パネル６Ｂと、第３の木製パネル６Ｃとを備える。さらに、第１の木製パネル６Ａの左隅角部の一辺と、該左隅角部に対向配置される第２の木製パネル６Ｂの右隅角部の一辺とに跨がってピン止め固定される第１の金具１０Ｌと、第１のパネルの右隅角部の一辺と、該右隅角部に対向配置される第３の木製パネル６Ｃの左隅角部の一辺とに跨がってピン止め固定される第２の金具１０Ｒと、を備える。
【選択図】図１【図１】
0006817397.tif 000002
【図２】
0006817397.tif 000003
【図３】
0006817397.tif 000004
【図４】
0006817397.tif 000005
【図５】
0006817397.tif 000006
【図６】
0006817397.tif 000007
【図７】
0006817397.tif 000008
【図８】
0006817397.tif 000009
【図９】
0006817397.tif 000010
【図１０】
0006817397.tif 000011
【図１１】
0006817397.tif 000012
【図１２】
0006817397.tif 000013
【図１３】
0006817397.tif 000014
【図１４】
0006817397.tif 000015
【図１５】
0006817397.tif 000016
【図１６】
0006817397.tif 000017
【図１７】
0006817397.tif 000018
【図１８】
0006817397.tif 000019
【図１９】
0006817397.tif 000020
【図２０】
0006817397.tif 000021
【図２１】
0006817397.tif 000022
【図２２】
0006817397.tif 000023
【図２３】
0006817397.tif 000024